(57)【要約】【課題】睡眠の妨げとなることを抑制する照明を備えた扇風機を提供することを目的とする。【解決手段】基台部２と、基台部２に設けた支柱部３と、支柱部３に設けた送風部４とを備え、基台部２内に複数の照明部１０を設け、照明部１０から照射する光は、指向性を有し、基台部２の周縁部から主に水平方向または斜め下方向へ照射されることを特徴とするので、更に睡眠の妨げとなることを抑制する照明を備えた扇風機を提供することができる。【選択図】図１
2016065460.tif 000002
【特許請求の範囲】
【請求項１】
基台部と、前記基台部に設けた支柱部と、前記支柱部に設けた送風部とを備え、前記基台部内に複数の照明部を設け、
前記照明部から照射する光は、指向性を有し、前記基台部の周縁部から主に水平方向または斜め下方向へ照射されることを特徴とする扇風機。
【請求項２】
前記照明部は、半導体発光素子を有し、前記半導体発光素子の中心から照射される光は、水平方向または斜め下方向へ照射されることを特徴とする請求項１に記載の扇風機。
【請求項３】
前記照明部は、寒色系の光を照射することを特徴とする請求項１または２に記載の扇風機。
【発明の詳細な説明】
【技術分野】
【０００１】
本発明は、一般家庭に使用される扇風機に関するものである。
【背景技術】
【０００２】
従来、この種の扇風機は、基台部と、基台部に設けた支柱部と、支柱部に設けた送風部とを備え、基台部の設置面と相対する箇所を除くほぼ全面を透光性の材料で覆い、内部に照明部を設けたものが知られている（例えば、特許文献１参照）。
【先行技術文献】
【特許文献】
【０００３】
【特許文献１】特開平２−２５６８９５号公報
【発明の概要】
【発明が解決しようとする課題】
【０００４】
このような従来の扇風機においては、基台部の内部に照明部を設け、基台部の設置面と相対する箇所を除くほぼ全面を透光性の材料で覆っているので、基台部のほぼ全面が光るものである。すなわち、上方向へも光が照射されるので、周囲を確認できる程度に照度を高めると、人によっては、就寝途中に起きて、部屋を歩く場合に、睡眠の妨げとなる場合がある。
【０００５】
そこで本発明は、更に睡眠の妨げとなることを抑制する照明を備えた扇風機を提供することを目的とする。
【課題を解決するための手段】
【０００６】
そして、この目的を達成するために、本発明は、基台部と、前記基台部に設けた支柱部と、前記支柱部に設けた送風部とを備え、前記基台部内に複数の照明部を設け、前記照明部から照射する光は、指向性を有し、前記基台部の周縁部から主に水平方向または斜め下方向へ照射されることを特徴とするものであり、これにより所期の目的を達成するものである。
【発明の効果】
【０００７】
本発明によれば、基台部と、前記基台部に設けた支柱部と、前記支柱部に設けた送風部とを備え、前記基台部内に複数の照明部を設け、前記照明部から照射する光は、指向性を有し、前記基台部の周縁部から主に水平方向または斜め下方向へ照射されることを特徴とするので、更に睡眠の妨げとなることを抑制する照明を備えた扇風機を提供することができる。
【図面の簡単な説明】
【０００８】
【図１】本発明の実施の形態１の扇風機の全体を示す斜視図
【図２】同扇風機の基台部内を示す斜視図
【図３】同扇風機の基台部の断面図
【発明を実施するための形態】
【０００９】
以下、本発明の実施の形態について図面を参照しながら説明する。
【００１０】
（実施の形態１）
図１は、本発明の実施の形態１の扇風機を示す斜視図である。図１に示すように、扇風機１は、床面に沿って広がる偏平状の基台部２と、基台部２の中央に着脱自在に設けられ、上方に垂直に伸びた支柱部３と、支柱部３の先端に設けた送風部４を備えている。
【００１１】
送風部４は、モータ部５と、モータ部５の前方に装着した羽根車６と、羽根車６を内包するガード７とを備えている。
【００１２】
図２は、本発明の実施の形態１の扇風機の基台部内を示す斜視図である。図３は、本発明の実施の形態１の扇風機の基台部の断面図である。図２、図３に示すように、基台部２は、上基台部分２Ａと下基台部分２Ｂとからなる。上基台部分２Ａは、基台部２の上部分で、下方に開口した略椀形状である。下基台部分２Ｂは、基台部２の下部分で、上方に開口した略椀形状である。中央には、支柱部３が嵌る窪み２Ｃ（図示せず）を備えている。
【００１３】
基台部２には、操作部８と、制御部９と、照明部１０とを備えている。
【００１４】
操作部８は、複数のスイッチを有し、上基台部分２Ａの前面側に設けられている。１例として、電源スイッチ８Ａ、弱運転スイッチ８Ｂ、中運転スイッチ８Ｃ、強運転スイッチ８Ｄ、照明スイッチ８Ｅである。
【００１５】
制御部９は、上記スイッチの操作に基づいて、モータ部５、照明部１０を制御する。例えば、使用者が、電源スイッチ８Ａを押し、更に、中運転スイッチ８Ｃを押せば、制御部９が、モータ部５の回転数を、中運転の回転数に制御する。モータ部５によって、羽根車６が回転することによって、送風される。
【００１６】
照明部１０は、下基台部分２Ｂ内の周縁部に、複数備えられている。照明部１０は、孔部分１１と、レンズ部分１２と、光源部分１３と、保持部分１４とを備えている。
【００１７】
孔部分１１は、下基台部分２Ｂの側壁に設けた孔である。孔部分１１は、下基台部分２Ｂの側壁に、多数備えている。孔部分１１は、上下方向の寸法より、左右方向の寸法が大きい横長形状でもよい。これにより、上下方向より、左右方向へ光が広がり易い。
【００１８】
レンズ部分１２は、透明の樹脂製で、孔部分１１内に嵌る形状である。レンズ部分１２は、光を拡散させる、拡散物質を有しても良い。これにより、光源部分１３からの光が、レンズ部分１２全体を光らせることができる。
【００１９】
光源部分１３は、指向性を有する光源であればよい。１例としては、半導体発光素子（ＬＥＤ）である。
【００２０】
保持部分１４は、レンズ部分１２と対向するように、光源部分１３を保持する。
【００２１】
光源部分１３は、光源部分１３である半導体発光素子の中心から照射される光が、孔部分１１内のレンズ部分１２を介して、水平方向または斜め下方向へ照射されるように、保持部分１４によって保持される。レンズ部分１２の上下方向における中心は、半導体発光素子から照射される光の上下方向における中心と同等、または低い位置である。
【００２２】
これにより、照明部１０は、基台部２の周縁部から上方へ照射する光の強さは、基台部２の周縁部から水平方向または斜め下方向へ照射する光の強さより小さくなる。
【００２３】
すなわち、扇風機１の照明部１０から照射する光は、基台部２の周縁部から主に水平方向または斜め下方向へ照射されるので、就寝途中に起きて、部屋を歩く場合に、直接光を顔にあびることを防止でき、睡眠の妨げとなることを抑制する照明を備えることができる。
【００２４】
また、基台部２の上基台部分２Ａは、基台部２の下基台部分２Ｂの側壁の外面の一部を覆い、上基台部分２Ａと下基台部分２Ｂとの間には、隙間を有する構成でもよい。
【００２５】
このように、隙間は、基台部２内方から下方へ延びる部分を備えているので、上基台部分２Ａと下基台部分２Ｂとの間の隙間から光が漏れた場合にも、上方へ照射し難いものである。また、この隙間によって、基台部２内の温度上昇を低減できる。
【００２６】
また、照明部１０は、寒色系の光を照射する。１例としては、青色である。これにより、使用者は、送風部４からの風だけでなく、照明部１０の寒色系の光を見ることによって、視覚からも涼しさを感じることができる。
【産業上の利用可能性】
【００２７】
本発明にかかる扇風機は、基台部と、前記基台部に設けた支柱部と、前記支柱部に設けた送風部とを備え、前記基台部内に複数の照明部を設け、前記照明部から照射する光は、指向性を有し、前記基台部の周縁部から主に水平方向または斜め下方向へ照射されることを特徴とするので、更に睡眠の妨げとなることを抑制する照明を備えた扇風機を提供することができるので、一般的な家庭に使用されるリビング扇風機等として有用である。
【符号の説明】
【００２８】
１      扇風機
２      基台部
２Ａ    上基台部分
２Ｂ    下基台部分
３      支柱部
４      送風部
５      モータ部
６      羽根車
７      ガード
８      操作部
８Ａ    電源スイッチ
８Ｂ    弱運転スイッチ
８Ｃ    中運転スイッチ
８Ｄ    強運転スイッチ
８Ｅ    照明スイッチ
９      制御部
１０      照明部
１１      孔部分
１２      レンズ部分
１３      光源部分
１４      保持部分
【図１】
2016065460.tif 000003
【図２】
2016065460.tif 000004
【図３】
2016065460.tif 000005